【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
デジタル財産管理システムにおいて履行される方法であって、
前記デジタル財産管理システムは、送信者のデジタル財産管理人及び受信者のデジタル財産管理人を備え、前記送信者のデジタル財産管理人は、送信者のデジタル財産管理モジュール及び送信者の取引ノードを備え、前記受信者のデジタル財産管理人は、受信者のデジタル財産管理モジュール及び受信者の取引ノードを備え、前記方法は、
（ａ）前記送信者のデジタル財産管理モジュールによって、受信者の物理的身分証明書を備える送金要求を受信するステップと、
（ｂ）前記送信者のデジタル財産管理モジュールから、前記受信者のデジタル財産管理モジュールによって、前記受信者の物理的身分証明書を備えるトークンを受信するステップと、
（ｃ）前記受信者のデジタル財産管理モジュールから、前記送信者のデジタル財産管理モジュールへ、トークンを備えるトークン応答を送信するステップと、
（ｄ）前記受信者のデジタル財産管理モジュールによって、前記トークンを受信者の仮想身分証明書に関連させるトークン対応付けを作成するステップと、
（ｅ）前記送信者のデジタル財産管理モジュールによる、分散取引合意ネットワークの前記送信者の取引ノードへの、又は、前記受信者のデジタル財産管理モジュールによる、前記分散取引合意ネットワークの前記受信者の取引ノードへの、いずれかの場合の送信取引、管理モジュール間取引、及び送達取引の各々を構築及び送信するステップと、
を備え、
前記送信取引は、送信者の仮想財布から前記送信者のデジタル財産管理人の仮想財布へデジタル財産を移動させ、
前記管理モジュール間取引は、前記送信者のデジタル財産管理人の前記仮想財布から前記受信者のデジタル財産管理人の仮想財布へデジタル財産を移動させ、且つ、
前記送達取引は、前記受信者のデジタル財産管理人の前記仮想財布から受信者の仮想財布へデジタル財産を移動させることを特徴とする、方法。
【請求項２】
請求項１に記載の方法であって、
前記トークン要求は、送信者のデジタル財産管理モジュールの署名を更に備え、前記署名は、前記送信者のデジタル財産管理モジュールのメッセージ秘密キーを使用することによって、前記受信者の物理的身分証明書の上に作成される、又は、前記トークン要求は、送信者のデジタル財産管理モジュールの身分証明所及び送信者のデジタル財産管理モジュールの署名を更に備え、前記署名は、前記送信者のデジタル財産管理モジュールのメッセージ秘密キーを使用することによって、前記送信者のデジタル財産管理モジュールの前記身分証明書及び前記受信者の物理的身分証明書の両方の上に作成されることを特徴とする、方法。
【請求項３】
請求項２に記載の方法であって、
ステップ（ｂ）は、
前記送信者のデジタル財産管理モジュールのメッセージ公開キーを使用することによって、前記受信されたトークン要求における情報が本物であることを、前記受信者のデジタル財産管理モジュールによって検証するステップ、
を更に備えることを特徴とする、方法。
【請求項４】
請求項１に記載の方法であって、
前記受信者の物理的身分証明書は、受信者の電話番号であることを特徴とする、方法。
【請求項５】
請求項１に記載の方法であって、
前記トークン応答は、前記受信者のデジタル財産管理モジュールの身分証明書及び受信者の署名を更に備え、前記署名は、受信者のメッセージ秘密キーを使用することによって、前記トークンだけの上に、又は前記受信者のデジタル財産管理モジュールの前記身分証明書及び前記トークンの両方の上に作成されることを特徴とする、方法。
【請求項６】
請求項１に記載の方法であって、
前記トークン応答は、前記送信者のデジタル財産管理モジュールのメッセージ公開キーを使用することによって作成された、前記トークン及び前記受信者のデジタル財産管理モジュールの身分証明書の両方を暗号化したものを備えることを特徴とする、方法。
【請求項７】
請求項６に記載の方法であって、
前記トークン応答は、受信者の物理的証明書と、前記送信者のデジタル財産管理モジュールの身分証明書と、前記受信者の物理的身分証明書、前記送信者のデジタル財産管理モジュールの前記身分証明書の上に作成される受信者の署名と、受信者のメッセージ秘密キーを使用することによる、前記トークン及び前記受信者のデジタル財産管理モジュールの前記身分証明書の両方を前記暗号化したものと、を更に備えることを特徴とする、方法。
【請求項８】
請求項１に記載の方法であって、
前記トークンは、タイムスタンプを更に備えることを特徴とする、方法。
【請求項９】
請求項１に記載の方法であって、
ステップ（ｅ）は、
（ｅ１）前記送信者のデジタル財産管理モジュールから、前記受信者のデジタル財産管理モジュールによって、暗号化された送信取引、管理モジュール間取引、及び前記トークンを備える一時的な送達取引を受信するステップと、
（ｅ２）前記受信者のデジタル財産管理モジュールによって、前記トークン対応付けを使用することにより、前記受信された一時的な送達取引から送達取引を構築するステップと、
（ｅ３）前記受信者のデジタル財産管理モジュールから、分散取引合意ネットワークの受信者の取引ノードへ、前記暗号化された送信取引、前記管理モジュール間取引、及び前記送達取引を送信するステップと、
を備えることを特徴とする、方法。
【請求項１０】
請求項９に記載の方法であって、
前記受信者のデジタル財産管理モジュールは、前記送達取引を構築する前に、前記トークンが正当なトークンプールにあることを検証し、且つ、前記送達取引が前記分散取引合意ネットワークによって引き渡された後、前記正当なトークンプールから前記トークンを除去することを特徴とする、方法。
【請求項１１】
請求項９に記載の方法であって、
（ｆ）前記受信者の取引ノードのメッセージ秘密キーを使用することにより、前記暗号化された送信取引を暗号解読するステップと、
（ｇ）前記送信取引、前記管理モジュール間取引、及び前記送達取引を前記分散取引合意ネットワークへ提出するステップと、
を更に備える、方法。
【請求項１２】
請求項１１に記載の方法であって、
前記受信者の取引ノードは、メッセージ公開キーとメッセージ秘密キーの新しい対を繰り返して生成し、且つ、前記公開キーをデジタル財産管理モジュールと供給することを特徴とする、方法。
【請求項１３】
請求項１２に記載の方法であって、
ステップ（ｆ）は、
（ｆ１）前記受信者の取引ノードに格納された現在のメッセージ秘密キーによって、前記暗号化された送信取引を暗号解読するステップと、
（ｆ２）もしステップ（ｆ１）が失敗する場合、前記受信者の取引ノードに格納されたすぐ前のメッセージ秘密キーによって、前記暗号化された送信取引を暗号解読するステップと、
を備える、方法。
【請求項１４】
請求項１に記載の方法であって、
ステップ（ｅ）は、
（ｅ１）前記送信者のデジタル財産管理モジュールから、前記受信者のデジタル財産管理モジュールによって、管理モジュール間取引及び、前記トークンを備える一時的な送達取引を受信するステップと、
（ｅ２）前記受信者のデジタル財産管理モジュールによって、前記トークン対応付けを使用することにより、前記受信された一時的な送達取引から送達取引を構築するステップと、
（ｅ３）前記受信者のデジタル財産管理モジュールから、前記送信者のデジタル財産管理モジュールによって、暗号化された送達取引を受信するステップと、
（ｅ４）前記送信者のデジタル財産管理モジュールから、分散取引合意ネットワークの前記送信者の取引ノードへ、送信取引、前記管理モジュール間取引、及び前記暗号化された送達取引を送信するステップと、
を備える、方法。
【請求項１５】
請求項１４に記載の方法であって、
前記受信者のデジタル財産管理モジュールは、前記送達取引を構築する前に、前記トークンが正当なトークンプールにあることを検証し、且つ、前記送達取引が前記分散取引合意ネットワークによって引き渡された後、前記正当なトークンプールから前記トークンを除去することを特徴とする、方法。
【請求項１６】
請求項１４に記載の方法であって、
（ｆ）前記送信者の取引ノードのメッセージ秘密キーによって、前記暗号化された送達取引を暗号解読するステップと、
（ｇ）前記送信取引、前記管理モジュール間取引、及び前記送達取引を前記分散取引合意ネットワークへ提出するステップと、
を更に備える、方法。
【請求項１７】
請求項１６に記載の方法であって、
前記送信者の取引ノードは、メッセージ公開キーとメッセージ秘密キーの新しい対を繰り返して生成し、且つ、前記メッセージ公開キーをデジタル財産管理モジュールと共有することを特徴とする、方法。
【請求項１８】
請求項１７に記載の方法であって、
ステップ（ｆ）は
（ｆ１）前記送信者の取引ノードに格納された現在のメッセージ秘密キーを使用することにより、前記暗号化された送達取引を暗号解読するステップと、
（ｆ２）もし（ｆ１）が失敗する場合、前記送信者の取引ノードに格納されたすぐ前のメッセージ秘密キーを使用することにより、前記暗号化された送達取引を暗号解読するステップと、
を備える、方法。
【請求項１９】
方法であって、
（ａ）送金取引セット内の各サブ取引に対してラベルを生成するステップと、
（ｂ）追跡キーによって前記ラベルを暗号化するステップと、
（ｃ）その暗号化されたラベル含めて、前記送金取引セット内の各サブ取引セットを分散取引合意ネットワークの取引ノードへ提出するステップと、
を備え、
前記ラベルは、前記送金取引セット内のサブ取引を識別するために使用されることを特徴とする、方法。
【請求項２０】
請求項１９に記載の方法であって、
前記ラベルはセット識別子及び順序識別子を備え、
前記セット識別子は、
前記送金取引セットが前記分散取引合意ネットワークへ提出された後、１つだけ増加するセット番号と、
ノンスであって、ここで新しいノンスは前記セット番号が繰り返される前に生成される、ノンスと、
を有する、方法。
【請求項２１】
請求項１９に記載の方法であって、
前記送金取引セットは、送信取引、管理モジュール間取引、及び送達取引を備えることを特徴とする、方法。
【請求項２２】
請求項１９に記載の方法であって、
（ｄ）前記ラベルを生成する、デジタル財産管理モジュールの対称追跡キーである前記追跡キーによって、又は前記管理者の追跡秘密キーによって、前記暗号化されたラベルを暗号解読するステップ、
を更に備える、方法。
【手続補正２】
【補正対象書類名】明細書
【補正対象項目名】００４４
【補正方法】変更
【補正の内容】
【００４４】
送金取引を完了させるために、分散取引合意ネットワークは、受信者の仮想身分証明書（スティーブの仮想財布ＩＤ）を必要とする。送信者のデジタル財産管理モジュールは、受信者のデジタル財産管理モジュールが誰にあるのかを知らないので、受信者のデジタル財産管理モジュールの場所を突きとめると共に、取引のための受信者の仮想身分証明書（スティーブの仮想財布ＩＤ）を取り出すために、受信者の物理的身分証明書（スティーブの携帯電話番号）を、他の全てのデジタル財産管理モジュールへ伝搬させなければならない。匿名性を改善するために、送信者のデジタル財産管理モジュールは、受信者の仮想財布ＩＤを有することを許可されておらず、したがって、受信者のデジタル財産管理モジュールは、送信者のデジタル財産管理モジュールに、最後には受信者の仮想財布ＩＤに関連し得るトークンを送信しなければならない。
【手続補正３】
【補正対象書類名】明細書
【補正対象項目名】００５８
【補正方法】変更
【補正の内容】
【００５８】
ステップ９３９では、受信者のデジタル財産管理モジュールの受信者のミドルウェア９１４は、送信者のデジタル財産管理モジュールの送信者のミドルウェア９０４へ、暗号化された送達取引を送信する。